(57)【要約】【課題】  モーション検知により操作を受け付ける操作性の良い電子機器を提供する。【解決手段】  傾斜角度を検出するセンサ２０と、前記センサにより検出された傾斜角度が第１の傾斜角度の範囲にあるときに第１の処理を行い、前記センサにより検出された傾斜角度が第２の傾斜角度の範囲にあるときに第２の処理を行い、前記センサにより検出された傾斜角度が前記第１の傾斜角度の範囲と前記第２の傾斜角度の範囲に挟まれた領域であって、前記第１の傾斜角度の範囲及び前記第２の傾斜角度の範囲のそれぞれよりも広い角度範囲を有する第３の傾斜角度の範囲にあるときに第３の処理を行う制御部４とを備える。【選択図】  図１
2014216825.tif 000002
【特許請求の範囲】
【請求項１】
傾斜角度を検出するセンサと、
前記センサにより検出された傾斜角度が第１の傾斜角度の範囲にあるときに第１の処理を行い、前記センサにより検出された傾斜角度が第２の傾斜角度の範囲にあるときに第２の処理を行い、前記センサにより検出された傾斜角度が前記第１の傾斜角度の範囲と前記第２の傾斜角度の範囲に挟まれた領域であって、前記第１の傾斜角度の範囲及び前記第２の傾斜角度の範囲のそれぞれよりも広い角度範囲を有する第３の傾斜角度の範囲にあるときに第３の処理を行う制御部と
を備えることを特徴とする電子機器。
【請求項２】
前記制御部は、前記第３の傾斜角度の範囲にヒステリシスを設けることを特徴とする請求項１記載の電子機器。
【請求項３】
前記センサは、加速度センサにより構成され、
前記加速度センサにより検出された加速度が所定値以上の場合には、前記制御部は、前記第３の傾斜角度の範囲に設けられたヒステリシスを小さくする、またはヒステリシスを設けないことを特徴とする請求項２記載の電子機器。
【請求項４】
前記制御部は、前記傾斜角度の範囲の数が所定の数よりも多い場合には、前記傾斜角度の範囲に設けられるヒステリシスを小さくすることを特徴とする請求項２または３記載の電子機器。
【請求項５】
所定数の傾斜角度の範囲を表示する表示部と、
前記傾斜角度の範囲の数が実行される処理の数よりも少ない場合には、前記表示部に前記傾斜角度の範囲を前記所定の数以内毎に表示する表示制御部と
を備えることを特徴とする請求項１〜４の何れか一項に記載の電子機器。
【請求項６】
前記表示部に表示されている前記傾斜角度の範囲毎に実行される処理の表示を行うことを特徴とする請求項５記載の電子機器。
【発明の詳細な説明】
【技術分野】
【０００１】
本発明は、電子機器に関するものである。
【背景技術】
【０００２】
回転センサを用いてモーション検知を行う携帯型装置が知られている（例えば、特許文献１参照）。この携帯型装置においては、モーション検知を行うことによりゴルフやテニスのゲームにおけるボールの軌道等に反映させている。
【先行技術文献】
【特許文献】
【０００３】
【特許文献１】特開２０１１−２４７８６６号公報
【発明の概要】
【発明が解決しようとする課題】
【０００４】
ところで、加速度センサを用いて、装置の傾斜角度を検出することによりモーション検知を行う装置においては、所定の操作指示を行うために予め設定されている２つの傾斜角度の範囲に挟まれる傾斜角度の範囲となるように装置を傾斜させることが必要な場合があり、操作性が良くなかった。
【０００５】
本発明の目的は、モーション検知により操作を受け付ける操作性の良い電子機器を提供することである。
【課題を解決するための手段】
【０００６】
本発明の電子機器は、傾斜角度を検出するセンサと、前記センサにより検出された傾斜角度が第１の傾斜角度の範囲にあるときに第１の処理を行い、前記センサにより検出された傾斜角度が第２の傾斜角度の範囲にあるときに第２の処理を行い、前記センサにより検出された傾斜角度が前記第１の傾斜角度の範囲と前記第２の傾斜角度の範囲に挟まれた領域であって、前記第１の傾斜角度の範囲及び前記第２の傾斜角度の範囲のそれぞれよりも広い角度範囲を有する第３の傾斜角度の範囲にあるときに第３の処理を行う制御部とを備えることを特徴とする。
【発明の効果】
【０００７】
本発明によれば、モーション検知により操作を受け付ける操作性の良い電子機器を提供することができる。
【図面の簡単な説明】
【０００８】
【図１】実施の形態に係る電子カメラのシステム構成を示すブロック図である。
【図２】実施の形態に係る電子カメラのモード選択画面を示す図である。
【図３】実施の形態に係る電子カメラのモード選択画面を示す図である。
【図４】実施の形態に係る電子カメラのモード選択画面を示す図である。
【図５】実施の形態に係る電子カメラのモード選択処理において設けられるヒステリシスを示す図である。
【発明を実施するための形態】
【０００９】
以下、本発明の実施の形態に係る電子機器について電子カメラを例に説明する。図１は、実施の形態に係る電子カメラのシステム構成を示すブロック図である。
【００１０】
電子カメラ２は、ＣＰＵ４を備え、ＣＰＵ４には、図示しない撮影レンズを介した被写体光を撮像して撮像信号（蓄積電荷としてのアナログ信号）を生成するＣＣＤ或いはＣＭＯＳ等により構成される撮像素子６、撮像素子６から出力された撮像信号を図示しないＡ／Ｄ変換部においてＡ／Ｄ変換することにより生成された画像データを記憶するメモリ８、撮像素子６から出力される撮像信号に基づく画像データに、ホワイトバランス調整、輪郭補償、ガンマ補正等の画像処理を行う画像処理部１０、撮影画像データや種々のデータを記録する記録媒体１２、ＬＣＤ等により構成されるディスプレイ１４の表示制御を行う表示制御部１６、ディスプレイ１４に積層して配置されるタッチセンサ１８、電子カメラ２の傾斜角度を検出する加速度センサ２０、レリーズボタン２４が接続されている。
【００１１】
ここで、ディスプレイ１４は、撮影モードにおいては撮像素子６から出力された撮像信号に基づくスルー画像を表示し、再生モードにおいては記録媒体１２に記録された撮影画像データに基づく撮影画像を表示し、モーション検知を用いた操作を行うモードにおいては、モーション検知を用いた操作を行うための操作画面の表示を行う。なお、ディスプレイ１４にスルー画像または撮影画像を表示している時に、モーション検知を用いた操作を行うための操作画面の表示を行う場合には、制御部４は表示制御部１６を制御して、スルー画像または撮影画像上に操作画面を重畳表示させてもよい。
【００１２】
次に、実施の形態に係る電子カメラにおけるモーション検知処理について説明する。図２に示すように、モーション検知を用いた操作を行うモードに移行するため所定の操作が行われると制御部４は表示制御部１６を制御して、ディスプレイ１４に操作画面を表示させる。ここで、図２は、５つのモードの中から１つのモードを設定する処理を行う操作画面を示している。
【００１３】
制御部４は表示制御部１６を制御して、操作画面として、撮影モードを選択する画面、シャッタスピードを設定する画面、撮影画像データを記録媒体１２に記録する際の画像サイズを設定する画面、露出補正量の設定を行う画面、ＩＳＯ感度の設定を行う画面、撮影画像の再生中におけるコマ送りを行う画面等を表示させることができる。
【００１４】
撮影モードを選択する画面においては、例えば、静止画像を撮影する静止画像撮影モード、動画像を撮影する動画像撮影モード、レリーズボタン２４の全押し操作が行われた前後の所定の時間において撮影された画像の中から最も鮮明に撮影されている画像を制御部４が選択して記憶媒体１２に記録するＳＰＳ（スマートフォトセレクター）モード、レリーズボタン２４の全押し操作が行われた時の静止画像及びレリーズボタン２４の全押し操作が行われた前後の所定の時間（例えば、１秒間等）の動画像を撮影するＭＳＳ（モーションスナップショット）モード等を選択することができる。
【００１５】
また、シャッタスピードを設定する画面においては、１／６０秒、１／１５０秒、１／２５０秒等のシャッタスピードを選択することができる。また、撮影画像データを記録媒体１２に記録する際の画像サイズを設定する画面においては、１２ＭＢ、８ＭＢ、４ＭＢ、２ＭＢ、１ＭＢ等の画像サイズを選択することができる。また、露出補正量の設定を行う画面においては、例えば、ＥＶ値を−２．０〜＋２．０の範囲で１／３ステップごとに設定することができる。
【００１６】
ＩＳＯ感度の設定を行う画面においては、ＩＳＯ１００、ＩＳＯ２００、ＩＳＯ４００、ＩＳＯ８００、ＩＳＯ１６００、ＩＳＯ３２００等のＩＳＯ感度を選択することができる。コマ送りを行う画面においては、１コマ送り、５コマ送り、１コマ戻し、５コマ戻し等を選択することができる。
【００１７】
以下、操作画面が５つの傾斜角度の範囲に分割された場合、即ち操作画面において選択可能な設定項目が５つである場合について説明する。また、操作画面において選択可能な設定項目を「モードＡ」〜「モードＥ」として説明する。
【００１８】
先ず、制御部４は加速度センサ２０の出力に基づいて電子カメラ２の傾きを検出する。ここで、制御部４は、電子カメラ２の底面が水平面と平行であるとき（以下、水平状態ということがある。）に、加速度センサ２０の出力に基づいて電子カメラ２の傾きは０°であることを検出する。なお、本実施の形態においては、加速度センサ２０は少なくとも２軸の加速度を測定できればよい。即ち、モーション検知処理を行う場合には、加速度センサ２０により検出されるディスプレイ１４に平行な２軸についての加速度を用いればよく、電子カメラ２の撮影レンズの光軸方向の加速度は用いなくてもよい。
【００１９】
ここで、モードＡ〜モードＥがそれぞれ選択される角度範囲は、図２に示すように設定されている。即ち、図２に示すように、他のモードに挟まれるモードＢおよびモードＤを選択可能なそれぞれの角度範囲は、モードＡ、モードＣおよびモードＥを選択可能なそれぞれの角度範囲よりも広く設定されている。なお、モードＣを選択する場合には電子カメラ２の傾きは０°に近い角度、即ち、電子カメラ２の底面が水平面に対して略水平な状態となる。ユーザは電子カメラ２が水平状態であることは認識し易いため、モードＣを選択することができる角度範囲を広げなくとも、ユーザの操作感に悪影響は及ぼさない。
【００２０】
図２に示すように、モードＡは加速度センサ２０の出力に基づいて検出される電子カメラ２の傾きが６５°〜９０°のときに選択され、モードＢは加速度センサ２０の出力に基づいて検出される電子カメラ２の傾きが１５°〜６５°のときに選択され、モードＣは加速度センサ２０の出力に基づいて検出される電子カメラ２の傾きが−１５°〜１５°のときに選択され、モードＤは加速度センサ２０の出力に基づいて検出される電子カメラ２の傾きが−１５°〜−６５°のときに選択され、モードＥは加速度センサ２０の出力に基づいて検出される電子カメラ２の傾きが−６５°〜−９０°のときに選択される。
【００２１】
従って、図２の矢印３２で示すように加速度センサ２０の出力に基づいて電子カメラ２の傾きが−１５°〜１５°の範囲である場合にはモードＣが選択され、図３の矢印３４で示すように電子カメラ２の傾きが−６５°〜−９０°の範囲である場合にはモードＤが選択され、図４の矢印３６で示すように電子カメラ２の傾きがー６５°〜−９０°の範囲である場合にはモードＥが選択される。
【００２２】
なお、選択されているモードは、図２の矢印３２、図３の矢印３４及び図４の矢印３６で示すように、矢印をディスプレイ１４に表示させてもよいし、選択されているモードの色を変更して表示させてもよい。
【００２３】
制御部４は特定のモードが選択された状態が所定時間以上継続すると、選択されたモードに移行する。なお、特定のモードが選択された状態が所定時間以上継続する場合に代えて、特定のモードが選択された状態でタッチセンサ１８または図示しない物理ボタンにより構成される操作部を介して決定操作が行われた場合に、選択されたモードに移行する構成としてもよい。
【００２４】
なお、モードが移行した場合にユーザが電子カメラ２を略水平状態に戻す場合には、制御部４は加速度センサ２０の出力に基づくモーション検知処理は行わない。例えば、制御部４は、モードを移行した後、所定時間モーション検知処理を停止し、その後モーション検知処理を再開する。
【００２５】
また、図５に示すように、モードＢ及びＤが選択された状態から他のモードを選択する場合には制御部４は、ヒステリシスを設けるようにしてもよい。矢印３８または４０で示すようにモードＢが選択された状態からモードＡまたはＣに移行する場合には５°など所定のヒステリシスを設ける。
【００２６】
即ち、図５の矢印３８で示すようにモードＢが選択された状態からモードＡに移行する場合には、加速度センサ２０の出力に基づいて検出される電子カメラ２の傾きが７０°〜９０°（設定されたヒステリシスが５°である場合）となると、モードＡが選択された状態に移行する。また、図５の矢印４０で示すようにモードＢが選択された状態からモードＣに移行する場合には、加速度センサ２０の出力に基づいて検出される電子カメラ２の傾きが−１５°〜１０°（設定されたヒステリシスが５°である場合）となると、モードＣが選択された状態に移行する。
【００２７】
同様に、モードＤが選択された状態からモードＣまたはＥに移行する場合にも５°など所定のヒステリシスを設ける。即ち、図５の矢印４２で示すようにモードＤが選択された状態からモードＣに移行する場合には、加速度センサ２０の出力に基づいて検出される電子カメラ２の傾きが−１０°〜１５°（設定されたヒステリシスが５°である場合）となると、モードＣが選択された状態に移行する。また、図５の矢印４４で示すようにモードＤが選択された状態からモードＥに移行する場合には、加速度センサ２０の出力に基づいて検出される電子カメラ２の傾きが−７０°〜−９０°（設定されたヒステリシスが５°である場合）となると、モードＡが選択された状態に移行する。
【００２８】
なお、制御部４は、加速度センサ２０により出力される加速度の値に基づいてヒステリシスを設けるか否かを決定してもよく、さらに設けるヒステリシスの大きさを変更してもよい。例えば、加速度の値が所定値よりも大きい場合には、ヒステリシスを設けないようにしてもよく、また、加速度の値が所定値よりも大きい場合には、設けるヒステリシスの大きさを減少させるようにしてもよい。
【００２９】
また、ディスプレイ１４に表示される傾斜角度の範囲が例えば６つ以上等の所定数よりも多い場合にヒステリシスを設けないようにしてもよい。
【００３０】
また、選択可能な設定項目が６つ以上存在する場合には、制御部４は分割表示を行ってもよい。この場合には、モードＡやモードＥの角度の範囲を超える加速度が検出された場合に、制御部４は、表示制御部１６を制御して、ディスプレイ１４に表示されていない他の設定項目を選択するための操作画面を表示させる。
【００３１】
例えば、露出補正量を設定する場合には、制御部４は表示制御部１６を制御して、初めにモードＡに「２／３」、モードＢに「１／３」、モードＣに「０」、モードＤに「−１／３」、モードＥに「−２／３」を表示させる。
【００３２】
次に、加速度センサ２０の出力に基づく電子カメラ２に傾きが９０°を超えると、モードＥに「１」、モードＤに「１  １／３」、モードＣに「１  ２／３」、モードＢに「２」等、モードＥ〜モードＢにそれぞれ１／３ステップごとのＥＶ値を表示させる。
【００３３】
また、加速度センサ２０の出力に基づく電子カメラ２に傾きが−９０°を越えると、モードＡに「−１」、モードＢに「−１  １／３」、モードＣに「−１  ２／３」、モードＤに「−２」等、モードＡ〜モードＤにそれぞれ１／３ステップごとのＥＶ値を表示させる。
【００３４】
また、例えば、ＩＳＯ感度設定操作を行う画面においては、モードＡに「ＩＳＯ１６００」、モードＢに「ＩＳＯ８００」、モードＣに「ＩＳＯ４００」、モードＤに「ＩＳＯ２００」、モードＥに「ＩＳＯ１００」をそれぞれ表示させる。次に、加速度センサ２０の出力に基づく電子カメラ２に傾きが９０°を越えると、制御部４は表示制御部１６を制御して、モードＡに「ＩＳＯ３２００」、モードＢに「ＩＳＯ１６００」、モードＣに「ＩＳＯ８００」、モードＤに「ＩＳＯ４００」、モードＥに「ＩＳＯ２００」を表示させる。
【００３５】
本実施の形態に係る電子カメラによれば、モーション検知により操作を受け付ける際の操作性を向上させることができる。
【００３６】
なお、上述の実施の形態においては、操作画面が５分割された場合、即ち操作画面において選択可能な設定項目が５つである場合について説明したが、操作画面が３分割以上されていれば、上述の実施の形態に係るモーション検知処理は適用可能である。
【００３７】
また、上述の実施の形態においては、モーション検知を用いた操作を行うモードに移行するとディスプレイ１４に画面を５分割した操作画面を表示させる構成としたが、撮影画像の再生中におけるコマ送り等、操作画面を表示させるとユーザがディスプレイ１４を観察する際の障害になる場合には、制御部４は、操作画面を表示させずにモーション検知を行ってもよい。
【００３８】
また、上述の実施の形態においては、電子カメラ２の傾きが−９０°〜９０°の範囲について説明したが、加速度センサ２０の出力に基づいて検出される電子カメラ２の傾きが９０°を超える場合に、制御部４はモードＡが選択されたと判定してもよい。同様に、加速度センサ２０の出力に基づいて検出される電子カメラ２の傾きが−９０°よりも小さい値となる場合に、制御部４はモードＥが選択されたと判定してもよい。
【００３９】
また、上述の各実施の形態においては、電子機器として電子カメラを例に説明したが、その他の電子機器、例えばスマートフォン等の携帯電話機、オーディオプレイヤー等に上述のモーション検知を用いた操作を適用してもよい。
【符号の説明】
【００４０】
２…電子カメラ、４…制御部、６…撮像素子、１２…記録媒体、２０…加速度センサ
【図１】
2014216825.tif 000003
【図２】
2014216825.tif 000004
【図３】
2014216825.tif 000005
【図４】
2014216825.tif 000006
【図５】
2014216825.tif 000007